(57)【要約】      （修正有）【課題】煙マルチガス検出警報送信装置を提供する。【解決手段】煙マルチガス検出警報送信装置１１０は部屋の天井への取り付けが可能な耐火性ブラックボックス１１２に、一酸化炭素センサ１１４と、煙センサ１１６と、可燃性ガスセンサ１１７が設けられる。音声警報モジュール１１８が耐火性ブラックボックスに設けられて、センサの１つによって作動させられる。プロセッサ／メモリユニット１２０は耐火性ブラックボックスに設けられて、センサの１つによって作動させられる。送信機１２２は耐火性ブラックボックスに設けられ、プロセッサ／メモリユニットにより作動させられて、警告信号（SMS又は音声メッセージ）を遠隔コンピュータ１２４の所にいる人物に又は携帯電話１２６の所にいる人物に送る。GPRS／SMS、WIFI、衛星送信機を使用することが可能である。【選択図】図１
2015210826.tif 000002
【特許請求の範囲】
【請求項１】
煙マルチガス検出警報送信装置であって、
a）部屋の天井へ取り付けが可能な耐火性ブラックボックスと、
ｂ）前記耐火性ブラックボックス内に設けられて、部屋内の空中一酸化炭素物質を検出する一酸化炭素センサと、
ｃ）前記耐火性ブラックボックス内に設けられて、部屋内の空中煙物質を検出する煙センサと、
ｄ）前記耐火性ブラックボックス内に設けられて、部屋内の空中可燃性ガス物質を検出する可燃性ガスセンサと、
e）前記耐火性ブラックボックス内に設けられて、火災時に前記センサのうちの１つにより作動させられる音声警報モジュールと、
ｆ）前記耐火性ブラックボックス内に設けられて、前記センサのうちの１つにより作動させられるとともに、作動させられたタイムスタンプと大気温度を記録して、消防士が後で火災の原因を判断するのを助けるプロセッサ／メモリユニットと、
ｇ）前記耐火性ブラックボックス内に設けられて、前記プロセッサ／メモリユニットにより作動させられ、警告信号を遠隔コンピュータの所にいる人物および携帯受信ユニットに送る送信機と
を含む装置。
【請求項２】
前記送信機は、GPRS／SMS、WIFI、または衛星信号から構成される技術のうちの１つと、登録された携帯電話またはキーチェーン機器から構成される受信ユニットを利用するものである、請求項１に記載の装置。
【請求項３】
前記耐火性ブラックボックスに設けられ、記憶容量が０．５〜２テラバイトの前記プロセッサ／メモリユニットと結合されるUSBポートを更に含み、USBケーブルが前記USBポートとパソコンの間に延在することにより、ある人物が前記パソコンを使用して重要情報をプログラムまたはアップデートし、連絡先（電話番号、Eメール）一覧を前記プロセッサ／メモリユニットに登録する、請求項１に記載の装置。
【請求項４】
前記耐火性ブラックボックス内に設けられ、前記センサのうちの１つにより作動させられる視覚警報モジュールを更に含む、請求項１に記載の装置。
【請求項５】
前記耐火性ブラックボックスに設けられて、前記一酸化炭素センサ、煙センサ、可燃性ガスセンサの作動を確認するためのテストボタンを更に含む、請求項１に記載の装置。
【請求項６】
前記耐火性ブラックボックス内に設けられて、前記一酸化炭素センサ、煙センサ、可燃性ガスセンサ、プロセッサ／メモリユニット、送信機、およびテストボタンに電力を供給する３V−１２ボルトDCバッテリを更に含む、請求項５に記載の装置。
【請求項７】
a）前記耐火性ブラックボックス内に設けられて、前記３V−１２ボルトバッテリに電気接続されるスイッチと、
ｂ）前記耐火性ブラックボックス内に設けられて、前記スイッチに電気接続されるソケットとを更に含み、電源コードのプラグが前記ソケットと電気接続されることにより、前記スイッチが第１位置に置かれると、３V−１２ボルトバッテリが電力を供給し、前記スイッチが第２位置に置かれると、前記電源コードが電力を供給する
請求項６に記載の装置。
【請求項８】
前記警告信号はSMSテキストメッセージである、請求項１に記載の装置。
【請求項９】
前記警告信号は音声メッセージである、請求項１に記載の装置。
【請求項１０】
前記送信機はトランシーバを含み、無線で重要情報を直接パソコンから受信し、前記重要情報をプロセッサ／メモリユニットに送る、請求項２に記載の装置。
【請求項１０】
前記耐火性ブラックボックスは、直径１０〜１３センチメートル（４〜５インチ）、高さ２．５〜３．８センチメートル（１．０〜１．５インチ）の円形筐体から成り、プラスチック、アルミニウム、鋼、銅、および金属からなる一群から選択された材料で作られる、請求項１に記載の装置。
【請求項１１】
前記煙センサはイオン化センサ、光電式センサを含み、前記一酸化炭素センサは電気化学センサ/金属酸化物半導体センサを含み、前記可燃性ガスセンサはI/R赤外線センサを含む、請求項１に記載の装置。
【請求項１２】
前記耐火性ブラックボックスに内蔵されて、部屋の温度変化を検出する温度計を更に含む、請求項１に記載の装置。
【請求項１３】
状況がどんどん深刻化していく場合には、救急サービスに自動的に通知されるとともに、土地の住所や他の重要情報が適切な機関の遠隔コンピュータに提供される、請求項１に記載の装置。
【請求項１４】
警報が認識されない場合には、救急サービスに自動的に通知されるとともに、土地の住所や他の重要情報が適切な機関の遠隔コンピュータに提供される、請求項１に記載の装置。
【請求項１５】
状況がどんどん深刻化していく場合には、救急サービスに自動的に通知されるとともに、土地の住所や他の重要情報が利用者の携帯電話に提供される、請求項１に記載の装置。
【請求項１６】
警報が認識されない場合には、救急サービスに自動的に通知されるとともに、土地の情報や他の重要情報が利用者の携帯電話に提供される、請求項１に記載の装置。
【請求項１７】
前記装置は３つの異なる警報音を有し、１つは煙センサに、１つは一酸化炭素センサに、１つは可燃性ガスセンサに対応する、請求項１に記載の装置。
【請求項１８】
前記視覚警報モジュールは色が異なるLED光も含み、煙に対して赤色、一酸化炭素に対して黄色、可燃性ガスに対して緑色が点滅する、請求項１に記載の装置。
【請求項１９】
火災発生時には、誰かに指示を知らせるためのスピーカを更に含む、請求項１に記載の装置。
【請求項２０】
前記部屋は、ホテル、モーテル、オフィスビル、工場、倉庫、地下鉄、およびクルーズ船の部屋のうちの１つである、請求項１に記載の装置。
【発明の詳細な説明】
【技術分野】
【０００１】
本発明は、ホームセーフティシステムに関し、特に、煙マルチガス検知警報送信装置に関する。
【０００２】
従来の煙警報装置や二酸化炭素検出装置は、個人が在宅しており、警報音を聞くことができる場合にのみ有用であった。火災時に居住者がいない場合には、隣人が煙に気づくまでに、土地は煙に巻き込まれてしまうかもしれない。構造物が他の土地と近接していないならば、緊急事態は通報されないかもしれない。火災に遭遇した者は全ての所有物を失い、さらに悪いことに、警報音が聞こえない場合には、命を落としかねない。より安全な代替物が必要とされる。
【０００３】
一酸化炭素や危険な爆発性ガス、煙を検出して、居住者、また必要に応じて救急サービスに知らせる煙マルチガス検出警報GPRS（汎用パケット無線システム）／SMS（ショートメッセージサービス）送信装置が設計されている。装置は音声警報および視覚警報の少なくともいずれかを作動させるだけでなく、SMSテキストメッセージや音声メッセージによって連絡先に知らせる。状況がどんどん深刻化していくならば、或いは警報が認識されないならば、救急サービスに自動的に通知され、そこの住所や他の重要情報が提供される。本発明によれば、居住者に緊急事態を効果的に知らせることにより、安全性がもたらされる。所有者が在宅していない場合には、装置は所有者や適当な機関に遠隔で通知する。購入者は、装置により提供される安全性や有効性を享受するであろう。
【背景技術】
【０００４】
従来技術において、以下に記載するように、多くの警報システムへの革新がもたらされている。これらの革新は、取りかかるべき特定の個人の目的には適当ではあるが、その目的は本発明とは異なるものである。
【０００５】
第１例として、２００５年７月１４日に公開されたトゥプラー（Tupler）等による特許文献１では、救急サービスに通報するとともに、追加の個人やグループの少なくともいずれかに緊急事態を知らせる利用方法、システムおよび装置を教示している。好適な実施形態では、救急サービスに通報するとともに、１または複数の追加の連絡先に通知する利用方法が提供されている。これらの方法では、遠隔無線装置からの救急サービス要請を無線で受信し、緊急事態の種類に応じて緊急連絡先リストを読み出し、連絡先リストに従って、救急サービス以外の少なくとも１つの緊急連絡先を決定する。特定された連絡先には、救急サービスの要請が通知される。好適な実施形態では、更に、緊急連絡先との通信モードを決定し、通信モードに従って連絡先に通知する。かかる方法では付加的に、通報される救急サービスを１または複数種類決定し、救急サービスの種類が通知される。
【０００６】
第２例として、２０１０年４月１日に公開されたスズキ（Suzuki）等による特許文献２では、親局と、互いに無線通信するようにリンクされた複数のバッテリ電源火災検出cc端末とを有する省電力無線火災警報システムを教示している。火災検出端末の１個で火災の発生を検出すると、火災検出端末は火災検出メッセージを親局に送信し、親局はウェイクアップメッセージを他の火災検出端末に送信した後に、火災情報メッセージを送信し、それにより、親局と火災検出端末の間に複数同期通信が開始する。各火災検出端末は電力制御装置を有し、ウェイクアップメッセージまたは火災発生を示す情報を受信するまで、間欠受信モードを選択して、間欠的に夫々の受信機を作動させ、その後に、一定操作モードを選択すると、親局からの火災情報メッセージによって開始される複数同期通信の準備ができているようにする。
【０００７】
第３例として、２０１０年６月１０日に公開されたウィルソン（Wilson）等による特許文献３では、検出装置の周囲の環境からのガスサンプルにおける対象ガスである酸素、メタン、一酸化炭素、および硫化水素の濃度レベルを感知するガス検出装置が教示されている。ガス検出装置は、各対象ガスの光吸収波長に略対応する４つの目標波長において、ガスサンプルに放射線を透過させるように構成されるレーザ源と、目標波長各々においてガスサンプルを透過させられた放射線の強度を感知するように構成される光検知器を含む。制御システムは、透過させられた放射線の吸収レベルに基づいて、目標ガスの表示濃度レベル情報を生じさせる。
【０００８】
第４例として、２０１１年５月２６日に公開されたハート（Hart）等による特許文献４では、第１耐火性ブラックボックスを有する警報携帯電話と、遠隔送信機から予め選択された信号を受信するとともに、それに呼応して第１検出信号を発生させる手段を有する検出回路と、携帯電話の予め選択されたパラメータの変化を感知する第１感知手段と、警告信号を発生させる警告手段と、警報信号を発生させる警報手段と、検出信号の受信に呼応して警報手段を作動させる制御手段とを含む警報システムを教示している。制御手段は、制御信号の少なくとも１回の受信、および携帯電話の予め定められたパラメータの変化の感知に呼応して警告手段を作動させる。
【０００９】
第５例として、２０１１年８月４日に公開されたルッソ（Russo）等による特許文献５では、筐体内に載置され、煙感知器に電力を供給する３V−９ボルトバッテリと、一酸化炭素センサと、ガス漏れ感知器を含む家庭用安全９１１システムが教示されている。音声警報モジュール、視覚警報モジュール、および避難経路モジュールは全て筐体内に載置されるとともに、１個のセンサによって作動させられる。「火災９１１」視覚警報表示装置は、住宅内の少なくとも１個の窓に取り付けられており、視覚警報モジュールによって遠隔作動させられる。
【００１０】
様々な目的に適合する警報システムに対する多くの革新がこれまでになされてきていることがわかる。また、これらの革新は、取り組むべき特定の目的には適当であっても、前述のような本発明の目的には適当ではない。
【先行技術文献】
【特許文献】
【００１１】
【特許文献１】米国特許公開第２００５／０１５１６４２号公報
【特許文献２】米国特許公開第２０１０／００７９２７８号公報
【特許文献３】米国特許公開第２０１０／０１４０４７８号公報
【特許文献４】米国特許公開第２０１１／０１２１９６８号公報
【特許文献５】米国特許公開第２０１１／０１８７５４３号公報
【発明の概要】
【発明が解決しようとする課題】
【００１２】
本発明の目的は、従来技術の欠点を回避する煙マルチガス検出警報GPRS／SMS送信装置を提供することにある。
【００１３】
本発明の別の目的は、単純であり、安価に製造される煙マルチガス検出警報GPRS／SMS送信装置を提供することにある。
【００１４】
本発明の更に別の目的は、使用が簡単な煙マルチガス検出警報GPRS／SMS送信装置を提供することにある。
【課題を解決するための手段】
【００１５】
簡潔に述べると、本発明の更に別の目的は、室内の天井への取り付けが可能な耐火性ブラックボックスを含む煙マルチガス検出警報GPRS／SMS送信装置を提供することにある。一酸化炭素センサは耐火性ブラックボックス内に載置されて、室内の空中一酸化炭素物質を検出する。煙センサは耐火性ブラックボックス内に載置されて、室内の空中煙物質を検出する。可燃ガスセンサは、耐火性ブラックボックス内に載置されて、室内の空中可燃ガス物質を検出する。音声警報モジュールは、耐火性ブラックボックス内に載置されて、１個のセンサにより作動させられる。プロセッサ／メモリユニットは、耐火性ブラックボックス内に載置されて、１個のセンサにより作動させられる。GPRS／SMS送信機は、耐火性ブラックボックス内に載置され、プロセッサ／メモリユニットにより作動させられて、警告信号を遠隔コンピュータの所にいる人と、携帯電話の所にいる人に送る。
【００１６】
本発明の特徴と考えられる新規の構成は、添付の請求の範囲に記載される。しかし、本発明自体は、その構成および操作方法のいずれともが、本発明の別の目的や効果と共に、以下の特定の実施形態の説明を添付の図面と併せて読むことにより、最も理解される。
【００１７】
図面中の図を、以下のとおり簡潔に説明する。
【図面の簡単な説明】
【００１８】
【図１】本発明の様々な構成要素を示すブロック図。
【図２】本発明自体の斜視図。
【図３】パソコンからの情報を本発明に入力する人物を示す斜視図。
【図４】警報を室内にいる人物に鳴らしている本発明を示す斜視図。
【図５】警報が作動させられた時に本発明からの情報を携帯電話で受けている仕事中の人物を示す斜視図。
【図６】警報が作動させられた時に本発明によって通知されている救急サービス所在地にいる人物を示す斜視図。
【発明を実施するための形態】
【００１９】
図１に示すように、本発明は、耐火性ブラックボックス１１２を含む煙マルチガス検出警報送信装置１１０である。一酸化炭素センサ１１４は耐火性ブラックボックス１１２内に載置されて、空中の一酸化炭素物質を検出する。煙センサ１１６は耐火性ブラックボックス１１２内に載置されて、空中の煙物質を検出する。可燃性ガスセンサ１１７は耐火性ブラックボックス１１２内に載置されて、空中の可燃性ガス物質を検出する。音声警報モジュール１１８は耐火性ブラックボックス１１２内に載置されて、センサ１１４、１１６、１１７の１個により作動させられる。プロセッサ／メモリユニット１２０は耐火性ブラックボックス１１２内に載置されて、センサ１１４、１１６、１１７の１個により作動させられる。耐火性ブラックボックス１１２は円形であり、直径１０〜１３センチメートル（４〜５インチ）、高さ２．５〜３．８センチメートル（１．０〜１．５インチ）である。送信機１２２は耐火性ブラックボックス１１２内に載置され、プロセッサ／メモリユニット１２０により作動させられて、警告信号（SMSテキストメッセージまたは音声メッセージ）を遠隔コンピュータ１２４および携帯型受信ユニットである携帯電話１２６またはキーチェーン機器に送る。携帯電話１２６に代わるより簡易な態様として、検知される警報の種類の可聴音／音声を鳴らし、或いは発するキーチェーン機器がある。
【００２０】
送信機１２２は以下のものを利用することが可能である。
【００２１】
汎用パケット無線サービス（GPRS）は、携帯電話で最も一般的に使用されているものである。利用者は、GPRSを使用して、Eメールを送受信したり、インターネットのサイトを閲覧したり、トラッキングデータを送信することができる。汎用パケット無線サービスは、パケット交換プロトコルや、ISP接続の設定時間の短縮を追加するGSMネットワークのための無線技術であるが、接続時間よりもむしろ送られるデータ量による請求を可能にもする。
【００２２】
ショートメッセージサービス（SMS）は、テキスティングとも呼ばれており、テキストメッセージまたはテキストメッセージングを送る。このサービスにより、ショートテキストメッセージをある携帯電話から別の携帯電話へ、またはウェブから別の携帯電話へ送ることができる。テキストメッセージは従来、スペースを含む１６０文字を超えることができない。
【００２３】
本装置１１０が煙や火災を検出すると、GPRS／SMS送信機１２２は信号をSMSCへのタワー（図示なし）から最も近い携帯電話の基地局へ、またそこからその目的地（使用者の携帯電話１２６またはキーチェーン機器）へ送る。SMG煙検出器１１６が煙を検出した場合には、検出器はGRPS／SMS送信機１２２を使用してSMSテキストメッセージを一覧に挙げられた火災連絡先へ送り、次に人物が警告に気付いたことをSMG警報機および送信機に返信し、温度計が火災を検出するならば、装置１１０はGRPS／SMS送信機１２２を使用して、一覧に挙げられた救急連絡先（９１１）へ通知する。
【００２４】
GPRS／SMS送信機１２２は、Teloc  TLC100によって構成されてもよい。Teloc  GPRS／SMS送信機１２２は、GSMモデムを使用して、GPRS／SMSによる無線データ送信を行なう。また、送信機１２２は温度計、（省略）、と接続されて、リモートコントローラやプログラマブル出力を装備したコントロールパネルとして作動するようにしてもよい。装置はコントロールパネル、自動販売機、ホームオートメーションおよび産業用オートメーションからの信号送信等の遠隔測定システムからデータを送信するように構成される。オンライン接続により、監視されるシステムとの断続的な通信や、全ての事象の即時伝達を維持することが可能となる。GPRSモードでは、送信機１２２は専用アプリケーションであるTeloc  Communication Server（図示なし）との協働が必要である。Communication  Serverは監視局へのデータ送信を可能にするソフトウェアであり、送信機は付加的な機能である遠隔プログラミング、設定、ソフトウェアのアップデートを提供する。
【００２５】
送信機１２２は（無線ルータを伴う）WIFIまたは衛星通信技術などの他の技術を利用して、SMSテキストメッセージをWIFIや衛星信号により利用者の携帯電話１２６やキーチェーン機器に送る。
【００２６】
装置１１０は更に、耐火性ブラックボックス１１２に設けられて、プロセッサ／メモリユニット１２０と結合されるＵＳＢポート１２８を含む。USBケーブル１３０はUSBポート１２８とパソコン１３２の間に延在しており、重要情報がパソコン１３２を使用して、プロセッサ／メモリ回路１２０にプログラミングされ得る。視覚警報モジュール１３４は耐火性ブラックボックス１１２内に載置され、センサ１１４、１１６、１１７の１個により作動させられる。テストボタン１３６は耐火性ブラックボックス１１２に設けられており、一酸化炭素センサ１１４、煙センサ１１６、可燃性ガスセンサ１１７の作動を確認する。
【００２７】
３V−１２ボルトDCバッテリ１３８は耐火性ブラックボックス１１２内に載置され、一酸化炭素センサ１１４、煙センサ１１６、可燃性ガスセンサ１１７、プロセッサ／メモリユニット１２０、送信機１２２、およびテストボタン１３６に電力を供給する。耐火性ブラックボックス１１２内に設けられたスイッチ１４０は、３V−１２ボルトバッテリ１３８と電気接続される。耐火性ブラックボックス１１２に設けられたソケット１４２はスイッチ１４０と電気接続される。電源コード１４６のプラグ１４４はソケット１４２に嵌合する。スイッチ１４０が第１位置に位置する場合には、３V−１２ボルトバッテリ１３８が電力を供給する。スイッチ１４０が第２位置に位置する場合には、電源コード１４６が電力を供給する。GPRS／SMS送信機１２２はまた、重要情報をパソコン１３２から直接無線受信し、その重要情報をプロセッサ／メモリユニット１２０に無線送信し得るトランシーバを有する。プロセッサ／メモリユニット１２０はアライド・シグナル（Aligned  Signal）、ハネウェル（Honey  Well）、パヤ（Paya）または同様の企業で製造される固体メモリ０．５〜２テラバイトであってよい。装置１１０は更に、耐火性ブラックボックス１１２に内蔵され、温度変化を検出する温度計１４９を含む。
【００２８】
図２に示すように、耐火性ブラックボックス１１２は、プラスチックおよび金属（例えば鋼、アルミニウム、銅など）からなるグループから選択された耐火性材料から作られる円形筐体１４８から構成される。
【００２９】
図３に示すように、人物１４７は重要情報をパソコン１３２に入力することにより、重要情報は、装置１１０の耐火性ブラックボックス１１２内にあるプロセッサ／メモリユニット１２０にプログラミングされる。ブラックボックス１１２は火災に関する重要な情報（例えば、誘発または作動させられるタイムスタンプレコード、記録された大気温度、他のパラメータ等）を記憶することにより、消防士が後で火災や爆発等の原因を判定するのに役立つ。
【００３０】
図４に示すように、耐火性ブラックボックス１１２は、家屋の地下室などの部屋１５２の天井１５０への取り付けが可能である。装置１１０は部屋１５２にいる人物１５４に対して警報を鳴らす。
【００３１】
図５に示すように、装置１１０からの重要情報は、携帯電話１２６にも送られることにより、職場１５８にいる人物１５６に対して、緊急事態を知らせるようにしてもよい。
【００３２】
図６に示すように、装置１１０からの重要情報は、遠隔コンピュータ１２４にも送られることにより、救急サービスの所在地１６２にいる人物１６０に対して、迅速に対応して救急ユニットを部屋１５２に送る状況であることが警告される。
【００３３】
装置１１０は、３つの異なる警報音を有してよく、１つは煙センサ１１６に対して、１つは一酸化炭素センサ１１４に対して、また１つは可燃性ガスセンサ１１７に対するものである。視覚警報モジュール１３４は、色が異なるLED光を含んでもよく、例えば煙に対して赤色、一酸化炭素に対して黄色、可燃性ガスに対して緑色が点滅する。装置１１０は無線でテキストメッセージ、音声メッセージまたはEメールを異なる電話番号や住所に送り、或いは他の形態の通知を送るようにしてもよい。連絡先（例えば、電話番号、Eメールアドレス等）の一覧は、USBケーブル１３０を介して装置１１０にアップロードされ、或いは登録される。複数の装置１１０は互いに接続されることにより、１個の装置１１０が音を発した場合に、他の装置１１０も作動させられてもよい。装置１１０は、イオン化、光電センサによって煙を検出し、電気化学センサ／金属酸化物半導体センサにより一酸化炭素を検出し、或いはI／R赤外線センサにより炭化水素などの可燃性ガスを検出するように構成されてもよい。機器１１０はGPRS/SMS、WIFIネットワーク、携帯電話基地局、または他の通信方法を利用することができる。市販の装置１１０には、スピーカや、火災が発生した場合に、誰かに指示を出すような機能を含むものもある。
【００３４】
他の装置１１０では、火災の原因、例えば電気、可燃物（ガソリン）、爆発、および温度等を検出して、その情報を救急サービスに知らせることもできる。故障があった場合に、煙マルチガス検出警報送信装置１１０が役立つものとしては、ストーブ、給湯器、ガスボイラまたは建物内のガス配管である。別モデルの装置１１０は、例えば（天然ガスやメタンガスなどの）他の種類のガスや蒸気を検出したり、また同様に機能するように構成されてもよい。装置１１０は、例えばホテル、モーテル、オフィスビル、工場、倉庫、地下鉄、クルーズ線など、特定の産業に適当であるように構成されてもよい。音声警報モジュール１１８は、音が鳴り響くように設定されてもよく、或いは静音に設定されて、建物内の適切な機関（火災司令）に最初に通知され、または、（例えば、「フロリダアベニュー６００の２階で煙検出」といった）テキストメッセージや電話の呼び出しを送って警告し、もしくは警告信号をキーチェーン機器に送って、検出された警告の種類の可聴音／音声を発するようにしてもよい。
【００３５】
煙センサ１１６はイオン化式、光電式を利用して煙を検出する。一酸化炭素センサ１１４は電気化学センサ、または金属酸化物半導体センサを使用する。装置１１０はまた、周囲の温度または大気温度の変化を検出するために、内蔵型温度センサを有する。
【００３６】
正確な仕様は変更されてもよい。
【００３７】
当然のことながら、上述する各要素は、上述の種類とは異なる他の種類の構成でも、有意義な用途を見出し得る。
【００３８】
本発明は、煙マルチガス検出警報GPRS／SMS送信装置の一実施形態として例証および説明されているが、示される細部に限定されるものではなく、当該技術分野に属する者には当然のことながら、本発明の趣旨から逸脱することなく、様々な省略、変形、置換、変更を図示する装置の形状や細部に行い得る。煙マルチガス検出警報GPRS／SMS送信装置を改良するために、技術の進歩に伴い、特徴が付加或いは除去されるように、構成、形状、寸法、色、音等は、モデル毎に変えられてもよい。
【００３９】
前述の記載は、更なる分析を行なうことなく、本発明の一般的または特定の態様の特性を適正に構成する特徴を省略することなく、従来技術の観点から、現用の知識を適用することにより、他者が様々な用途へ容易に適用し得る本発明の要旨を完全に表すものである。
【符号の説明】
【００４０】
１１０    煙マルチガス検出警報GPRS／SMS送信装置
１１２    SMG装置１１０の耐火性ブラックボックス
１１４    耐火性ブラックボックス１１２内の一酸化炭素センサ
１１６    耐火性ブラックボックス１１２内の煙センサ
１１７    耐火性ブラックボックス１１２内の可燃性ガスセンサ
１１８    耐火性ブラックボックス１１２内の音声警報モジュール
１２０    耐火性ブラックボックス１１２内のプロセッサ／メモリユニット
１２２    耐火性ブラックボックス１１２内のGPRS／SMS送信機
１２４    遠隔コンピュータ
１２６    携帯電話
１２８    耐火性ブラックボックス１１２のUSBポート
１３０    USBケーブル
１３２    パソコン
１３４    耐火性ブラックボックス１１２内の視覚警報モジュール
１３６    耐火性ブラックボックス１１２のテストボタン
１３８    耐火性ブラックボックス１１２内の３V―９ボルトバッテリ
１４０    耐火性ブラックボックス１１２内のスイッチ
１４２    耐火性ブラックボックス１１２のソケット
１４４    電源コード１４６のプラグ
１４６    電源コード
１４７    パソコン１３２の所にいる人物
１４８    耐火性ブラックボックス１１２用円形筐体
１４９    耐火性ブラックボックス１１２内の温度計
１５０    部屋１５２の天井
１５２    部屋
１５４    部屋１５２にいる人物
１５６    職場１５８にいる人物
１５８    職場
１６０    救急サービス所在地１６２にいる人物
１６２    救急サービス所在地
【図１】
2015210826.tif 000003
【図２】
2015210826.tif 000004
【図３】
2015210826.tif 000005
【図４】
2015210826.tif 000006
【図５】
2015210826.tif 000007
【図６】
2015210826.tif 000008
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
煙マルチガス検出警報送信装置であって、
a）部屋の天井へ取り付けが可能な耐火性ブラックボックスと、
ｂ）前記耐火性ブラックボックス内に設けられて、部屋内の空中一酸化炭素物質を検出する一酸化炭素センサと、
ｃ）前記耐火性ブラックボックス内に設けられて、部屋内の空中煙物質を検出する煙センサと、
ｄ）前記耐火性ブラックボックス内に設けられて、部屋内の空中可燃性ガス物質を検出する可燃性ガスセンサと、
e）前記耐火性ブラックボックス内に設けられて、火災時に前記センサのうちの１つにより作動させられる音声警報モジュールと、
ｆ）前記耐火性ブラックボックス内に設けられて、前記センサのうちの１つにより作動させられるとともに、作動させられたタイムスタンプと大気温度を記録して、消防士が後で火災の原因を判断するのを助けるプロセッサ／メモリユニットと、
ｇ）前記耐火性ブラックボックス内に設けられて、前記プロセッサ／メモリユニットにより作動させられ、警告信号を遠隔コンピュータの所にいる人物および携帯受信ユニットに送る送信機と
を含む装置。
【請求項２】
前記送信機は、GPRS／SMS、WIFI、または衛星信号から構成される技術のうちの１つと、登録された携帯電話またはキーチェーン機器から構成される受信ユニットを利用するものである、請求項１に記載の装置。
【請求項３】
前記耐火性ブラックボックスに設けられ、記憶容量が０．５〜２テラバイトの前記プロセッサ／メモリユニットと結合されるUSBポートを更に含み、USBケーブルが前記USBポートとパソコンの間に延在することにより、ある人物が前記パソコンを使用して重要情報をプログラムまたはアップデートし、連絡先（電話番号、Eメール）一覧を前記プロセッサ／メモリユニットに登録する、請求項１に記載の装置。
【請求項４】
前記耐火性ブラックボックス内に設けられ、前記センサのうちの１つにより作動させられる視覚警報モジュールを更に含む、請求項１に記載の装置。
【請求項５】
前記耐火性ブラックボックスに設けられて、前記一酸化炭素センサ、煙センサ、可燃性ガスセンサの作動を確認するためのテストボタンを更に含む、請求項１に記載の装置。
【請求項６】
前記耐火性ブラックボックス内に設けられて、前記一酸化炭素センサ、煙センサ、可燃性ガスセンサ、プロセッサ／メモリユニット、送信機、およびテストボタンに電力を供給する３V−１２ボルトDCバッテリを更に含む、請求項５に記載の装置。
【請求項７】
a）前記耐火性ブラックボックス内に設けられて、前記３V−１２ボルトバッテリに電気接続されるスイッチと、
ｂ）前記耐火性ブラックボックス内に設けられて、前記スイッチに電気接続されるソケットとを更に含み、電源コードのプラグが前記ソケットと電気接続されることにより、前記スイッチが第１位置に置かれると、３V−１２ボルトバッテリが電力を供給し、前記スイッチが第２位置に置かれると、前記電源コードが電力を供給する
請求項６に記載の装置。
【請求項８】
前記警告信号はSMSテキストメッセージである、請求項１に記載の装置。
【請求項９】
前記警告信号は音声メッセージである、請求項１に記載の装置。
【請求項１０】
前記送信機はトランシーバを含み、無線で重要情報を直接パソコンから受信し、前記重要情報をプロセッサ／メモリユニットに送る、請求項２に記載の装置。
【請求項１１】
前記耐火性ブラックボックスは、直径１０〜１３センチメートル（４〜５インチ）、高さ２．５〜３．８センチメートル（１．０〜１．５インチ）の円形筐体から成り、プラスチック、アルミニウム、鋼、銅、および金属からなる一群から選択された材料で作られる、請求項１に記載の装置。
【請求項１２】
前記煙センサはイオン化センサ、光電式センサを含み、前記一酸化炭素センサは電気化学センサ/金属酸化物半導体センサを含み、前記可燃性ガスセンサはI/R赤外線センサを含む、請求項１に記載の装置。
【請求項１３】
前記耐火性ブラックボックスに内蔵されて、部屋の温度変化を検出する温度計を更に含む、請求項１に記載の装置。
【請求項１４】
状況がどんどん深刻化していく場合には、救急サービスに自動的に通知されるとともに、土地の住所や他の重要情報が適切な機関の遠隔コンピュータに提供される、請求項１に記載の装置。
【請求項１５】
警報が認識されない場合には、救急サービスに自動的に通知されるとともに、土地の住所や他の重要情報が適切な機関の遠隔コンピュータに提供される、請求項１に記載の装置。
【請求項１６】
状況がどんどん深刻化していく場合には、救急サービスに自動的に通知されるとともに、土地の住所や他の重要情報が利用者の携帯電話に提供される、請求項１に記載の装置。
【請求項１７】
警報が認識されない場合には、救急サービスに自動的に通知されるとともに、土地の情報や他の重要情報が利用者の携帯電話に提供される、請求項１に記載の装置。
【請求項１８】
前記装置は３つの異なる警報音を有し、１つは煙センサに、１つは一酸化炭素センサに、１つは可燃性ガスセンサに対応する、請求項１に記載の装置。
【請求項１９】
前記視覚警報モジュールは色が異なるLED光も含み、煙に対して赤色、一酸化炭素に対して黄色、可燃性ガスに対して緑色が点滅する、請求項４に記載の装置。
【請求項２０】
火災発生時には、誰かに指示を知らせるためのスピーカを更に含む、請求項１に記載の装置。
【請求項２１】
前記部屋は、ホテル、モーテル、オフィスビル、工場、倉庫、地下鉄、およびクルーズ船の部屋のうちの１つである、請求項１に記載の装置。
【外国語明細書】
2015210826000001.pdf